(57)【要約】【課題】多機能事務機器に用いる画像読取装置は、走査の方法で画像の読取を行い、ユーザが時間を多く費やして画像の読取りを行なう。解像度の高い画像を読取る際に、画像読取の掛かる時間が一層長くなる。従来のスキャナモジュールは機器に固定された構成に制限されており、他用途での使用ができない。【解決手段】カメラモジュール、アウトプットモジュール、プロセッサーモジュールを備え、カメラモジュールは少なくとも1つの画像情報を読取るために用い、そのアウトプットモジュールはそのカメラモジュールで読み取った画像データを出力するために用い、そのプロセッサーモジュールはカメラモジュール、アウトプットモジュールと外部システムとの情報処理及び伝送を制御するために用いる。従来のスキャナモジュールを取り替えて上記のカメラモジュールを採用して、立体式で画像を読取り、及び、多機能事務機器から取り外した後に単独で使用する。【選択図】図１
2006333442.tif 000002
【特許請求の範囲】
【請求項１】
少なくとも１つの画像情報を読取るために用いるカメラモジュールと、
少なくともカメラモジュールに電気的に接続され、そのカメラモジュールで読み取った画像データを出力するために用いるアウトプットモジュールと、
少なくともカメラモジュール及びアウトプットモジュールに電気的に接続され、カメラモジュール、アウトプットモジュールと外部システムとの情報処理及び伝送を制御するために用いるプロセッサーモジュールと、を備えることを特徴とする多機能事務機器。
【請求項２】
少なくとも１つの画像情報は、多機能事務機器における次のストレージ、転送、プリントを提供するために用いることを特徴とする請求項１記載の多機能事務機器。
【請求項３】
アウトプットモジュールは、カメラモジュールで読み取った少なくとも画像情報をプンリトするために用いるプリンタ装置であることを特徴とする請求項１記載の多機能事務機器。
【請求項４】
プリンタ装置は、もともと多機能事務機器でストレージされた情報や他の装置から多機能事務機器ヘ転送された情報をプリントするために用いることを特徴とする請求項３記載の多機能事務機器。
【請求項５】
カメラモジュールは、光センサとこの光センサに連結されたレンズ組とを備えていることを特徴とする請求項１記載の多機能事務機器。
【請求項６】
光センサは電荷結合素子式（ＣＣＤ  ｔｙｐｅ）の光センサであることを特徴とする請求項５記載の多機能事務機器。
【請求項７】
光センサは相補型金属酸化膜半導体式（ＣＭＯＳ  ｔｙｐｅ）の光センサであることを特徴とする請求項５記載の多機能事務機器。
【請求項８】
レンズ組は光学式でズーム及びピント合わせができるレンズ組であることを特徴とする請求項５記載の多機能事務機器。
【請求項９】
レンズ組は広い視角（Ｖｉｅｗ  ａｎｇｌｅ）のレンズ組であることを特徴とする請求項５記載の多機能事務機器。
【請求項１０】
多機能事務機器本体モジュールとカメラモジュール取付ホルダーモジュールをさらに備え、カメラモジュールがカメラモジュール取付ホルダー上に設けられ、このカメラモジュール取付ホルダーが多機能事務機器本体モジュール上に設けられ、カメラモジュールと多機能事務機器本体モジュールが連結させることを特徴とする請求項１記載の多機能事務機器。
【請求項１１】
アウトプットモジュールとプロセッサーモジュールがともに多機能事務機器本体モジュール上に設けられることを特徴とする請求項１０記載の多機能事務機器。
【請求項１２】
カメラモジュールや多機能事務機器本体モジュールに設けられる発光モジュールをさらに備えることを特徴とする請求項１０記載の多機能事務機器。
【請求項１３】
発光モジュールは明るさを調整できる発光素子であることを特徴とする請求項１２記載の多機能事務機器。
【請求項１４】
カメラモジュール取付ホルダーモジュールと多機能事務機器本体モジュールとは一体に形成されることを特徴とする請求項１０記載の多機能事務機器。
【請求項１５】
カメラモジュール取付ホルダーモジュールは高さを調整することができ、カメラモジュールの撮影高さが調整可能となることを特徴とする請求項１０記載の多機能事務機器。
【請求項１６】
カメラモジュール取付ホルダーモジュールは水平360度の回転ができ、カメラモジュールの撮影水平角度を任意に設定させることができることを特徴とする請求項１０記載の多機能事務機器。
【請求項１７】
カメラモジュール取付ホルダーモジュールは垂直３６０度の回転ができ、カメラモジュールの撮影角度を任意に設定させることができることを特徴とする請求項１０記載の多機能事務機器。
【請求項１８】
カメラモジュールには、カメラモジュール取付ホルダーモジュール上に着脱自在に取付けられるために、カメラモジュール取付ホルダーから取外された後、単独に使用できる携帯式の電源が設けられていることを特徴とする請求項１０記載の多機能事務機器。
【請求項１９】
カメラモジュールは、ロック式でカメラモジュール取付ホルダーモジュール上に設けられることを特徴とする請求項１０記載の多機能事務機器。
【請求項２０】
プロセッサーモジュールには、外部システムの操作指令を受取るために用い、カメラモジュール、アウトプットモジュールと外部システムとの情報処理及び伝送を制御させるプロセスルーチンが内蔵され、外部システムに対応する操作指令を実行されることを特徴とする請求項１記載の多機能事務機器。
【請求項２１】
プロセッサーモジュールには、カメラモジュール、アウトプットモジュールと外部システムとの情報処理及び伝送を制御することにより、あらかじめ設定されたプロセスルーチンで設定される画像読取、データ伝送、プリント及び/又はストレージを実行するプロセスルーチンを内蔵することを特徴とする請求項１記載の多機能事務機器。
【請求項２２】
プロセスルーチンは、少なくとも連続撮影の時間間隔及び撮影枚数を含むあらかじめ設定された連続撮影モードを有することを特徴とする請求項２０または２１記載の多機能事務機器。
【請求項２３】
プロセスルーチンは、調整された撮影範囲、調整されたカメラモジュール高さ、水平回転角度及び垂直回転角度を含むカメラモジュールを実行する時の撮影機能調整モードを有することを特徴とする請求項２０または２１記載の多機能事務機器。
【請求項２４】
撮影機能調整モードは、自動ピント合わせ及びオートフォーカスの機能をさらに含むことを特徴とする請求項２３記載の多機能事務機器。
【請求項２５】
プロセスルーチンは、調整パラメーターが機能を起用するか及びパラメーターを起用するか順序を調整される機能を有することを特徴とする請求項２０または２１記載の多機能事務機器。
【請求項２６】
調整パラメーターは、少なくともカメラモジュールにおける色モード、高さ、水平回転角度、垂直回転角度、撮影範囲の広さ、撮影範囲の中心、ピント合わせ及びオートフォーカスを備えることを特徴とする請求項２５記載の多機能事務機器。
【請求項２７】
プロセスルーチンは、画像情報を少なくとも処理する画像情報処理機能を有することを特徴とする請求項２０または２１記載の多機能事務機器。
【請求項２８】
画像情報処理機能は、画像の回転、画像品質の向上、画像の圧縮を備えることを特徴とする請求項２７記載の多機能事務機器。
【発明の詳細な説明】
【技術分野】
【０００１】
本発明は、多機能事務機器に関し、特にカメラモジュールを用いて画像を読取り、画像の読取時間を節約する多機能事務機器に関する。
【背景技術】
【０００２】
現在、事務所で使用される複写機、ファックス、プリンタ、またはスキャナ等の事務機器は、事務所に必要な情報設備となり、仕事の品質と効率を向上させるだけではなく、さらに書類、ファイルホルダーに対する管理が便利で清潔になる。しかし、事務機器は製造メーカーによって異なるので、その操作の方法も完全に同じではない。また、事務機器には、設置する空間が必要であるので、仕事空間が広くない事務所に対して、空間の有効使用はユーザの深刻な課題となる。
【０００３】
技術の発展及びユーザの要求に伴って、最近、情報製品に対する設計には，多機能組合の傾向がある。多種類の機能を組み合わせた多機能事務機器（Ｍｕｌｔｉ−Ｆｕｎｃｔｉｏｎ  Ｐｒｉｎｔｅｒ，  ＭＦＰ）により、仕事環境に対する空間の使用が低減され、ユーザの仕事効率が向上される。
【０００４】
さらに、多機能事務機器におけるメカニズムの構成及び機能の統合は、実際の構造体上での集合と並べ直しを意味するだけではなく、コンパクトの要求で、機能の近似する素子の合併または簡単化も行わなければならない。例えば、コントロールチップ組は、従来の複写機、ファックス、プリンタ、及びスキャナ等の機能モジュールを制御するが、さらにＣＰＵモジュール、画像圧縮/解凍モジュール、メモリコントロールモジュールを含み、またＬＣＤパネルコントロールモジュールも含むように同時に制御することになるので、技術の進歩にあわせて機能を統合することが重要である。
【０００５】
なお、以上から分かるように、上記では、スキャナモジュールを採用した多機能事務機器は、実際に使うと、不便と欠点とが明らかに存在しているので、改善の必要がある。そこで本発明は、以上のような欠点に基づいて改善を行ない、設計を合理化し、欠点を改善した。
【発明の開示】
【発明が解決しようとする課題】
【０００６】
従来、多機能事務機器に用いる画像読取装置は、走査の方法で画像の読取を行い、ユーザが時間を多く費やして画像の読取りを行なうことになる。特に解像度の高い画像を読取る際に、画像読取の掛かる時間が一層長くなる。また、従来のスキャナモジュールは機器に固定された構成に制限されているので、他用途の使用ができない。即ち、従来のスキャナモジュールは多機能事務機器のみで平面的な使用、例えば書類のプリントや走査等を行なうことができるが、書類の立体的な読取りまたはスキャナモジュールの単独使用ができない。よって、従来のスキャナモジュールは多機能の用途に使用することができない。
【課題を解決するための手段】
【０００７】
上記の技術問題を解決するために、本発明の多機能事務機器によれば、カメラモジュール、アウトプットモジュール、プロセッサーモジュールを備える多機能事務機器が提供される。そのカメラモジュールは少なくとも1つの画像情報を読取るために用い、そのアウトプットモジュールは少なくともカメラモジュールに電気的に接続され、そのカメラモジュールで読み取った画像データを出力するために用い、そのプロセッサーモジュールは少なくともカメラモジュール及びアウトプットモジュールに電気的に接続され、カメラモジュール、アウトプットモジュールと外部システムとの情報処理及び伝送を制御するために用いる。
【発明の効果】
【０００８】
本発明は、技術問題を解決するために、本発明の多機能事務機器を提供する。この多機能事務機器には、従来のスキャナモジュールを取り替えて上記のカメラモジュールが採用される。そこで、本発明は、読取った画像の解像度がどれだけ高いかに関わらず、必要な画像を速やかに読取ることができ、従来で解像度の高い画像を読取る時間が長過ぎる欠点が解決された。例えば、垂直回転または水平回転モジュールは、方向と角度の異なる平面または立体画像を読取ることができる。また、本発明のカメラモジュールは多機能事務機器から取外すことができ、一般のカメラとして使用することができる。従って、本発明は、画像の読取時間が節約される利点を有し、使用されるカメラモジュールも多機能の用途を有する。
【発明を実施するための最良の形態】
【０００９】
以下の本発明に関する詳しい説明とあわせて図面を参照することで、本発明における技術、手段及び効果をより具体的に理解することができる。なお、添付された図面はただ単に参照あるいは説明だけに用いられるものであり、本発明を制限するものではない。
【００１０】
図１は本発明の多機能事務機器の機能ブロック図である。図１から分かるように、本発明は、カメラモジュール１、アウトプットモジュール２、プロセッサーモジュール３を備える多機能事務機器を提供する。
【００１１】
このカメラモジュール1は、少なくとも1つの画像情報を読取るために用い、且つその少なくとも１つの画像情報が、多機能事務機器での次のストレージ、転送、プリントを提供するために用いられる。アウトプットモジュール2は、少なくともカメラモジュール１に電気的に接続され、そのカメラモジュール１で読み取った画像データを出力するために用いる。アウトプットモジュール２は、プリンタ装置であり、そのカメラモジュール１で読み取った画像情報をプンリトするために用いる。そのプリンタ装置は、もともと多機能事務機器でストレージされた情報や他の装置から多機能事務機器ヘ転送された情報をプリントするために用いることができる。
【００１２】
また、カメラモジュール１は、光センサ１０とこの光センサ１０に連結されたレンズ組１１を備えている。光センサ１０は電荷結合素子式（ＣＣＤ  ｔｙｐｅ）の光センサまたは相補型金属酸化膜半導体式（ＣＭＯＳ  ｔｙｐｅ）の光センサである。また、レンズ組１１は光学式でズーム及びピント合わせが可能なレンズ組、または広い視角（Ｖｉｅｗ  ａｎｇｌｅ）のレンズ組である。
【００１３】
さらに、プロセッサーモジュール３は、少なくともカメラモジュール１及びアウトプットモジュール２に電気的に接続され、カメラモジュール１、アウトプットモジュール２と外部システム４との情報処理及び伝送を制御するために用いる。
【００１４】
一方、本発明の多機能事務機器は、多機能事務機器本体モジュール６とカメラモジュール取付ホルダー７をさらに備える。図２は、本発明の多機能事務機器の斜視図である。ここでは、カメラモジュール１がカメラモジュール取付ホルダーモジュール７上に設けられ、このカメラモジュール取付ホルダーモジュール７が多機能事務機本体モジュール６上に設けられ、カメラモジュール１と多機能事務機器本体モジュール６とを連結させ、カメラモジュール取付ホルダーモジュール７と多機能事務機器本体モジュール６とは一体となる。尚、カメラモジュール取付ホルダーモジュール７は関節部１３、１４を備えており、各関節部で折り曲げることでカメラモジュール１の角度を調整することができる。さらに、アウトプットモジュール２とプロセッサーモジュール３がともに多機能事務機器本体モジュール６上に設けられる。
【００１５】
図３に示すように、カメラモジュール取付ホルダーモジュール７は伸縮することでカメラモジュール１の高さを調整することが可能であり、カメラモジュール１の撮影の高さが任意の範囲で調整可能となる。また、図４Ａ〜図４Ｃに示すように、カメラモジュール取付ホルダーモジュール７も水平３６０度の回転ができ、カメラモジュール１の撮影水平角度を任意に設定することができる。または、カメラモジュール取付ホルダーモジュール７は垂直３６０度の回転ができ、カメラモジュール１は、カメラモジュール取付ホルダーモジュール７により、ユーザでの必要な高さや角度に対する調整ができる。図４Ａは、本発明の多機能事務機器の正面図であり、関節部１３でカメラモジュール取付ホルダーモジュール７を折り曲げて、カメラモジュール１の撮影水平角度を調整した様子を示している。尚、破線で示したように、関節部１４でカメラモジュール取付ホルダーモジュール７を折り曲げて、カメラモジュール１の撮影水平角度を調整することもできる。また、多機能事務機器本体モジュール６の上面に対してほぼ垂直な面上で、関節部１３を中心としてカメラモジュール取付ホルダーモジュール７を回転させることができる。さらに、カメラモジュール取付ホルダーモジュール７の関節部１３と関節部１４を共に折り曲げてカメラモジュール１の撮影水平角度を調整することもできる。図４Ｂは、本発明の多機能事務機器の側面図であり、図４Ａと同様の状態を示している。図４Ｃは、本発明の多機能事務機器を上面から見た図であり、関節部１３でカメラモジュール取付ホルダーモジュール７が関節部１３で折り曲げられて、かつ多機能事務機器モジュール６の上面に対してほぼ水平な面上で、関節部１３を中心として回転する状態を示している。
【００１６】
さらに、カメラモジュール１には、携帯式の電源１２が設けられている。カメラモジュール１がカメラモジュール取付ホルダーモジュール７上に着脱自在に取付けられることにより、カメラモジュール１がカメラモジュール取付ホルダー７から取外された後、カメラモジュール１は単独の使用ができる。また、カメラモジュール１もロック式でカメラモジュール取付ホルダーモジュール７上に設けられ、カメラモジュール１が容易に盗まれることを防止する。
【００１７】
一方、本発明の多機能事務機器は、カメラモジュール１や多機能事務機器本体モジュール６に設けられる発光モジュール８をさらに備える。この発光モジュール８は、明るさを調整できる発光素子である。
【００１８】
また、プロセッサーモジュール３には、プロセスルーチン３０が内蔵され、外部システム４の操作指令４０を受取るために用い、プロセッサーモジュール３がカメラモジュール１、アウトプットモジュール２と外部システム４との情報処理及び伝送を制御することにより、外部システム４に対応する操作指令４０が実行される。外部システム４はコンピュータであることが可能である。または、プロセッサーモジュール３には、あらかじめ設定されたプロセスルーチン３１が内蔵され、プロセッサーモジュール３がカメラモジュール１、アウトプットモジュール２と外部システム４との情報処理及び伝送を制御することにより、あらかじめ設定されたプロセスルーチン３１で設定される画像読取、データ伝送、プリント及び/又はストレージが実行される。
【００１９】
さらに、そのプロセスルーチン３０、３１は、あらかじめ設定された連続撮影モードを有し、少なくとも連続撮影の時間間隔及び撮影枚数を含む。また、そのプロセスルーチン３０、３１は、カメラモジュール１を実行する時の撮影機能調整モードを有し、調整された撮影範囲、調整されたカメラモジュールの高さ、水平回転角度及び垂直回転角度を含み、その撮影機能調整モードは、自動ピント合わせ及びオートフォーカスの機能をさらに含む。
【００２０】
一方、そのプロセスルーチン３０、３１は、調整パラメーターが機能を起用するかどうかということと、調整パラメーターを起用する順序を調整される機能を有し、調整パラメーターが、カメラモジュールの色モード、高さ、水平回転角度、垂直回転角度、撮影範囲の広さ、撮影範囲の中心点、ピント合わせ及びオートフォーカスを含む。
【００２１】
一方、そのプロセスルーチン３０、３１は、画像情報を少なくとも処理する画像情報処理機能を有し、この画像情報処理機能が画像の回転、画像質の向上、画像の圧縮を含む。
【００２２】
なお、上記で示したプロセスルーチン３０、３１は、本発明に用いることのみに制限するものではなく、カメラモジュール1を有する多機能事務機器に用いる全てプログラムまたはルーチンは、全て本発明に含まれる内容である。
【００２３】
本発明では、従来のスキャナモジュールを取り替えてカメラモジュール１を採用することにより、必要な画像が読取られる。従って、本発明は画像を読取る時、読取った画像の解像度がどれだけ高いかに関わらず、必要な画像を速やかに読取ることができ、解像度の高い画像を読取る時間が長過ぎる欠点が解決された。さらに、本発明のカメラモジュール１も立体式で画像を読取ることができ、例えば、垂直回転または水平回転は、方向と角度の異なる平面または立体画像を読取ることができる。また、本発明のカメラモジュール１も多機能事務機器から取外すことができ、一般のカメラとして使用することができる。従って、本発明は、画像の読取時間が節約される利点を有し、使用されるカメラモジュール１も多機能の用途を有する。
【００２４】
以上は、本発明の実施の形態における詳しい説明と図面である。ただ本発明の特徴は、本実施の形態に制限されるものではない。当業者によって、本発明をもとにした様々な改良を行うことができるが、これらの改良したものも本発明の主旨に含まれることは言うまでもなく、全て出願の特許範囲内に属するものである。
【図面の簡単な説明】
【００２５】
【図１】本発明の多機能事務機器の機能ブロック図である。
【図２】本発明の多機能事務機器の斜視図である。
【図３】本発明の多機能事務機器の側面図である。
【図４Ａ】本発明の多機能事務機器の正面図である。
【図４Ｂ】本発明の多機能事務機器の側面図である。
【図４Ｃ】本発明の多機能事務機器の上面図である。
【符号の説明】
【００２６】
１  カメラモジュール
２  アウトプットモジュール
３  プロセッサーモジュール
４  外部システム
６  多機能事務機器本体モジュール
７  カメラモジュール取付ホルダーモジュール
８  発光モジュール
１０  光センサ
１１  レンズ組
１２  携帯式電源
１３、１４  関節部
３０、３１  プロセスルーチン
４０  操作指令
【図１】
2006333442.tif 000003
【図２】
2006333442.tif 000004
【図３】
2006333442.tif 000005
【図４Ａ】
2006333442.tif 000006
【図４Ｂ】
2006333442.tif 000007
【図４Ｃ】
2006333442.tif 000008